(57)【要約】【課題】  方位センサのキャリブレーションを正確に行うことができる、携帯端末装置および携帯端末システムを提供する。【解決手段】  方位センサを有する携帯端末装置１は車内に設置したホルダ３に固定し、カーナビゲーション装置２と通信ケーブル４で接続する。携帯端末装置１はカーナビゲーション装置２で検出した方位情報を受信し、受信した方位情報が９０度以上になった時点で方位センサのキャリブレーションを開始する。また、キャリブレーションでは、携帯端末装置１の方位センサで検出した磁場データだけでなく、カーナビゲーション装置２から受信した信頼性の高い方位情報も使用する。【選択図】図１
2006275763.tif 000002
【特許請求の範囲】
【請求項１】
自車の車両の進行方向を特定する方位特定手段を有するカーナビゲーション装置と、方位を検出する方位センサを有する携帯端末装置とから構成される携帯端末システムにおいて、
前記カーナビゲーション装置は、
前記方位特定手段で検出した方位情報を前記携帯端末装置に送信する送信手段を備えており、
前記携帯端末装置は、
前記カーナビゲーション装置から前記方位情報を受信する受信手段と、
前記方位センサのキャリブレーションを行う校正手段と、
前記受信手段で受信した前記方位情報に基づいて前記校正手段の開始を判定する判定手段と、
を備えていることを特徴とする携帯端末システム。
【請求項２】
前記判定手段が、
前記受信した方位情報を蓄積し、一定角度範囲以上の方位情報を蓄積した段階で前記校正手段を開始することを特徴とする請求項１に記載の携帯端末システム。
【請求項３】
前記校正手段が、
前記方位センサで検出した情報と前記受信手段で受信した前記方位情報とに基づいてキャリブレーションを行うことを特徴とする請求項1または請求項２に記載の携帯端末システム。
【請求項４】
方位を検出する方位センサを有する携帯端末装置において、
他の装置から方位情報を受信する受信手段と、
前記方位センサのキャリブレーションを行う校正手段と、
前記受信手段で受信した方位情報に基づいて前記校正手段の開始を判定する判定手段と、
を備えていることを特徴とする携帯端末装置。
【請求項５】
前記判定手段が、
前記受信した方位情報を蓄積し、一定角度範囲以上の方位情報を蓄積した段階で前記校正手段を開始することを特徴とする請求項４に記載の携帯端末装置。
【請求項６】
前記校正手段が、
前記方位センサで検出した情報と前記受信手段で受信した方位情報とに基づいてキャリブレーションを行うことを特徴とする請求項４または請求項５に記載の携帯端末装置。
【請求項７】
自車の車両の進行方向を特定する方位特定手段を有するカーナビゲーション装置と、方位を検出する方位センサを有する携帯端末装置とで構成される携帯端末システムで用いる前記方位センサのキャリブレーション方法において、
前記カーナビゲーション装置は、
前記方位特定手段で検出した方位情報を前記携帯端末装置に送信する送信ステップを備えており、
前記携帯端末装置は、
前記カーナビゲーション装置から前記方位情報を受信する受信ステップと、
前記受信ステップで受信した情報に基づいて前記方位センサのキャリブレーション開始を判定する判定ステップとを備えており、
前記方位センサで検出した情報と前記受信ステップで受信した前記方位情報とに基づいて前記方位センサの校正を行うことを特徴とするキャリブレーション方法。
【請求項８】
方位を検出する方位センサを有する携帯端末装置で用いる前記方位センサのキャリブレーション方法において、
前記携帯端末装置は、
他の装置から方位情報を受信する受信ステップと、
前記受信ステップで受信した方位情報に基づいて前記方位センサのキャリブレーション開始を判定する判定ステップとを備えており、
前記方位センサで検出した情報と前記受信ステップで受信した方位情報とに基づいて前記方位センサの校正を行うことを特徴とするキャリブレーション方法。
【発明の詳細な説明】
【技術分野】
【０００１】
この発明は、方位を検出する方位センサを有する携帯端末装置と、自車の車両の進行方向を特定する手段を有するカーナビゲーション装置とから構成される携帯端末システムに関する。
【背景技術】
【０００２】
近年、携帯電話機等の携帯端末装置では高機能化が進み、方位を測定するために地磁気を検出する磁気センサを備えたものが開発されている。このように磁気センサを備えた携帯端末装置においては、端末内部を流れる電気信号で発生する磁場の影響等を校正するためにキャリブレーションを行う必要がある。
【０００３】
従来のキャリブレーション方法は、携帯電話機をユーザが所定の方向に回転させながら定期的に磁気センサのデータを取り込んで蓄積し、得られたデータから地磁気以外の磁場による影響を算出し取り除くという方法で行われていた。
なお、本出願に関する従来技術の参考文献として、特許文献1ないし特許文献５が知られている。
【特許文献１】特開2003-247833号公報
【特許文献２】特開2000-304559号公報
【特許文献３】特開2000-253438号公報
【特許文献４】特開2002-300640号公報
【特許文献５】特開2002-357652号公報
【発明の開示】
【発明が解決しようとする課題】
【０００４】
しかし、従来の上記キャリブレーション方法では、キャリブレーションを実施した後にも磁気センサで検出した方位に大きな誤差が発生するという課題があった。この誤差は、キャリブレーション用に蓄積したデータを用いて方位円の方程式を推定して求めるときに発生し、蓄積したデータの量が少ない程推定の精度が悪くなり、誤差が大きくなる。この方位円の推定誤差を低減するには、サンプリング回数を増やしてデータを多く蓄積する必要があるが、現実にはキャリブレーション用のデータを蓄積するメモリの容量は有限であり、またキャリブレーションの演算に費やすことができる時間も限られている。
【０００５】
したがって、限られた時間内に限られたデータを用いて行うキャリブレーションで上述の推定誤差を低減するためには、携帯電話機の磁気センサより精度の高い、外部の方位情報に頼らざるを得ない。しかし、外部の方位情報をキャリブレーションで使用するためには、方位情報の送受信方法だけでなく、どのようなタイミングでキャリブレーションを行うのか、また外部からの方位情報をどのようにキャリブレーションで使用するのか等についても考慮する必要があり、従来技術では上述の課題を解決した例は報告されていない。
本発明は上記事情を考慮してなされたもので、その目的は、方位センサのキャリブレーションを正確に行うことができる、携帯端末装置および携帯端末システムを提供することにある。
【課題を解決するための手段】
【０００６】
この発明は上記の課題を解決するためになされたもので、請求項1に記載の発明は、自車の車両の進行方向を特定する方位特定手段を有するカーナビゲーション装置と、方位を検出する方位センサを有する携帯端末装置とから構成される携帯端末システムにおいて、前記カーナビゲーション装置は、前記方位特定手段で検出した方位情報を前記携帯端末装置に送信する送信手段を備えており、前記携帯端末装置は、前記カーナビゲーション装置から前記方位情報を受信する受信手段と、前記方位センサのキャリブレーションを行う校正手段と、前記受信手段で受信した前記方位情報に基づいて前記校正手段の開始を判定する判定手段とを備えていることを特徴としている。
【０００７】
また、請求項２に記載の発明は、請求項１に記載の発明において、前記判定手段が、前記受信した方位情報を蓄積し、一定角度範囲以上の方位情報を蓄積した段階で前記校正手段を開始することを特徴としている。また、請求項３に記載の発明は、請求項１または請求項２に記載の発明において、前記校正手段が、前記方位センサで検出した情報と前記受信手段で受信した前記方位情報とに基づいてキャリブレーションを行うことを特徴としている。
【０００８】
また、請求項４に記載の発明は、方位を検出する方位センサを有する携帯端末装置において、他の装置から方位情報を受信する受信手段と、前記方位センサのキャリブレーションを行う校正手段と、前記受信手段で受信した方位情報に基づいて前記校正手段の開始を判定する判定手段とを備えていることを特徴としている。また、請求項５に記載の発明は、請求項４に記載の発明において、前記判定手段が、前記受信した方位情報を蓄積し、一定角度範囲以上の方位情報を蓄積した段階で前記校正手段を開始することを特徴としている。また、請求項６に記載の発明は、請求項４または請求項５に記載の発明において、前記校正手段が、前記方位センサで検出した情報と前記受信手段で受信した方位情報とに基づいてキャリブレーションを行うことを特徴としている。
【０００９】
また、請求項7に記載の発明は、自車の車両の進行方向を特定する方位特定手段を有するカーナビゲーション装置と、方位を検出する方位センサを有する携帯端末装置とで構成される携帯端末システムで用いる前記方位センサのキャリブレーション方法であって、前記カーナビゲーション装置は、前記方位特定手段で検出した方位情報を前記携帯端末装置に送信する送信ステップを備えており、前記携帯端末装置は、前記カーナビゲーション装置から前記方位情報を受信する受信ステップと、前記受信ステップで受信した情報に基づいて前記方位センサのキャリブレーション開始を判定する判定ステップとを備えており、前記方位センサで検出した情報と前記受信ステップで受信した前記方位情報とに基づいて前記方位センサの校正を行うことを特徴としている。
【００１０】
また、請求項8に記載の発明は、方位を検出する方位センサを有する携帯端末装置で用いる前記方位センサのキャリブレーション方法であって、前記携帯端末装置は、他の装置から方位情報を受信する受信ステップと、前記受信ステップで受信した方位情報に基づいて前記方位センサのキャリブレーション開始を判定する判定ステップとを備えており、前記方位センサで検出した情報と前記受信ステップで受信した方位情報とに基づいて前記方位センサの校正を行うことを特徴としている。
【発明の効果】
【００１１】
この発明によれば、携帯端末装置とカーナビゲーション装置とを連携させて、携帯端末装置の方位センサのキャリブレーションを行うことができる。携帯端末装置は、カーナビゲーション装置から受信した方位情報に基づいて、適切なタイミングを判断して自動的にキャリブレーションを開始する。また、カーナビゲーション装置の信頼性の高い方位情報を用いて方位円を推定することで、方位センサの上記推定誤差を低減することもできる。
【発明を実施するための最良の形態】
【００１２】
以下、図面を参照してこの発明の実施形態について説明する。図１はこの発明の実施形態にかかる、カーナビゲーション装置と携帯電話機（携帯端末装置）とで構成される携帯端末システムを表した外観図であり、図２は携帯電話機１の端末ユニットを開いた状態にしたときの正面図であり、X軸およびY軸は図１、図２の矢印で示す方向に設定する。図１において、カーナビゲーション装置２を搭載する車両にはホルダ３を設け、携帯電話機１はこのホルダ３に固定する。ここで、携帯電話機１は筐体を開いた状態にし、XY平面が水平面と平行になるように、ディスプレイ側を上にして寝かせた状態で固定する。携帯電話機１とカーナビゲーション装置２とは、通信ケーブル４で接続する。図２において、端末ユニット１−１、１−２は携帯電話機1の2つの筐体である。
【００１３】
図３はこの発明の実施形態にかかる携帯電話機１の構成を示すブロック図である。図３において、アンテナ１０１は図示しない無線基地局との間で電波の送受信を行うためのアンテナである。送受信回路１０２は、アンテナ１０１が受信する高周波信号を入力して受信データに変換し、制御部１０３へ出力するものである。さらにこの送受信回路１０２は、制御部１０３から入力する送信信号によって高周波のキャリアを変調し、アンテナ１０１へ出力して送信を行うものである。
【００１４】
主制御部１０３は、携帯電話機１内の各ブロックを制御する制御部である。メインメモリ１０４は、制御部１０３で使用するプログラムを保持する。音声処理部１０５は、制御部１０３からの音声データを入力してアナログ信号に変換し、スピーカ１０６へ出力して発音させるものである。さらにこの音声処理部１０５は、マイクロホン１０７からの音声信号を入力してデジタル信号に変換し、制御部１０３へ出力するものである。センサ制御部１０８は、制御部１０３からの制御信号を受け、磁気センサ（方位センサ）１０９による測定結果をデジタルデータに変換し、制御部１０３へ出力する。ここで、磁気センサ１０９は、図2に示す互いに直交するＸ軸・Ｙ軸の2つの軸に対応する２つの磁気センサで構成される。
【００１５】
インタフェース回路１１０は、制御部１０３からの送信信号を入力しコネクタ１１１へ出力して送信を行うものである。ここで送信する信号は、図１の通信ケーブル４を通して後述のカーナビゲーション装置２で受信される。さらに、このインタフェース回路１１０は、コネクタ１１１からの受信信号を入力し、制御部１０３へ出力するものである。
【００１６】
図４はこの発明の実施形態にかかるカーナビゲーション装置２の概略を示すブロック図である。図４において、ＧＰＳアンテナ２０１は、ＧＰＳ（Ｇｌｏｂａｌ  Ｐｏｓｉｔｉｏｎｉｎｇ  Ｓｙｓｔｅｍ）衛星からの電波信号を受信するためのアンテナである。ＧＰＳ部２０２は、ＧＰＳ衛星から受信した電波信号に基づいてカーナビゲーション装置２の緯度・経度（３次元モードの場合はさらに高度等）で表される位置を算出し、結果を制御部２０３へ出力するものである。
【００１７】
制御部２０３は、カーナビゲーション装置２の主制御を司る制御部である。メインメモリ２０４は、制御部２０３で使用するプログラムを保持する。ドライバ回路２０５は、制御部２０３からの制御信号を入力しディスク装置２０６へ出力するものである。ディスク装置２０６は、ドライバ回路２０５からの制御信号を入力し、内部に挿入されたＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）等のディスクもしくは内蔵のハードディスクから地図情報を読み出すものである。
【００１８】
インタフェース回路２０７は制御部２０３からの送信信号を入力し、コネクタ２０８へ出力して送信を行うものである。ここで送信する信号は、図１の通信ケーブル４を通して前述の携帯電話機１で受信される。さらに、このインタフェース回路２０７は、コネクタ２０８からの受信信号を入力し、制御部２０３へ出力するものである。
【００１９】
次に、上述した実施形態における磁気センサ１０９のキャリブレーション方法について図５ないし図９を参照して説明する。図５は携帯電話機1の動作を表したフローチャート、図6は図5のステップＳ１０７（サブルーチン）の動作を表したフローチャート、図７はカーナビゲーション装置２の動作を表したフローチャート、図８は図７のステップＳ２０９（サブルーチン）の動作を表したフローチャートである。
【００２０】
図１のように携帯電話機１をホルダ３に固定した後、コネクタ１１１とカーナビゲーション装置２のコネクタ２０８とを通信ケーブル４で接続する（図５のステップＳ１０１、図７のステップＳ２０１）。通信ケーブル４が接続されたことは、以下の方法で自動的に検出する。まず携帯電話機１のコネクタ１１１に通信ケーブル４が接続されると、携帯電話機１はケーブル接続を認識し、一定の間隔で接続検知用のパルス信号を送信する。通信ケーブル４がコネクタ２０８にも接続されると、カーナビゲーション装置２はこのパルス信号を受信し、携帯電話機１と通信が可能になったと判断する。パルス信号を受信したカーナビゲーション装置２は、通信が可能になったことを携帯電話機１に知らせるため、接続完了を示す識別信号を送信する。携帯電話機１がこの識別信号を受信すると、カーナビゲーション装置２と通信が可能になったと判断する。
【００２１】
携帯電話機１およびカーナビゲーション装置２が互いに相手との接続を検知すると、連動モードに移行する（図5のステップＳ１０２、図7のステップＳ２０２）。連動モードに移行すると、まず初めに携帯電話機１がホルダ３に固定されて、ぶれていない事を確認する（以下では、ぶれチェックと呼ぶ）。この確認は、携帯電話機１で検出した方位データとカーナビゲーション２で検出した方位データとの方位差を一定時間Ｔ秒の間監視し、その方位差の変動が一定値以下になっているかで判断する方法を取る。図５および図７を参照して、ぶれチェックについて説明する。
【００２２】
図5において、ぶれチェックでは、まず携帯電話機１が磁気センサ１０９で検出した磁場データを取得し（ステップＳ１０３）、取得した磁場データを方位データに変換しカーナビゲーション装置２に送信する（ステップＳ１０４）。この後、携帯電話機1は、予め決められた検出間隔ｔ１の間待機する（ステップＳ１０５）。待機している間に、カーナビゲーション装置２から後述のぶれチェック終了通知を受信した場合はキャリブレーションのサブルーチンへと進む（ステップＳ１０６：Ｙｅｓ）。終了通知を受信するまでは、ステップＳ１０３に戻って磁場データを取得し、以後ステップＳ１０３〜ステップＳ１０６を繰り返し実行する。
【００２３】
一方、図7において、カーナビゲーション装置２は内蔵のタイマーを０にセットし、時間の計測を開始する（ステップＳ２０３）。その後、図5のステップＳ１０４で送信された方位データを受信すると（ステップＳ２０４）、カーナビゲーション装置２でも方位データを取得する（ステップＳ２０５）。続いて、携帯電話機１で検出した方位データとカーナビゲーション装置２で検出した方位データとの方位差を算出する（ステップＳ２０６）。１度目にステップＳ２０６を通るときは、ここで算出した方位差を保存してステップＳ２０７に進むが、２度目以降では前回算出した方位差と今回算出した方位差との差を求めて、その差が一定値以内であるかの判定を行う。
【００２４】
判定結果が一定値未満であればステップＳ２０７へ進み、一定値以上であれば警報を出してステップＳ２０４へ戻り、再び携帯電話機１からの方位データを受信するまで待機する（ステップＳ２０６：Ｙｅｓ、ステップＳ２１１）。ステップＳ２０７では、ステップＳ２０３でセットしたタイマーの時刻を参照し、Ｔ秒以上経過していなければ、ステップＳ２０４に戻って方位差の監視を続ける（ステップＳ２０７：Ｎｏ）。Ｔ秒以上経過していれば、方位差の変動はないと判断し、ぶれチェックを終了する（ステップＳ２０７：Ｙｅｓ）。ぶれチェックが終了すると、終了通知を携帯電話機１に送信し（ステップＳ２０８）、携帯電話機１、カーナビゲーション装置２ともにキャリブレーションのサブルーチンを実行する（ステップＳ１０７、ステップＳ２０９）。
【００２５】
キャリブレーションのサブルーチンであるステップＳ１０７およびステップＳ２０９では、携帯電話機１の磁気センサで検出した磁場データとカーナビゲーション装置２で検出した方位データとを蓄積し、９０度以上の方位変化を検出した後に、蓄積したデータに基づいて磁気センサの校正を行う。図６および図８を参照して、キャリブレーションの説明をする。
【００２６】
図6において、キャリブレーションではまず携帯電話機１において磁気センサ１０９の検出したＸ軸、Ｙ軸方向の磁場データ（Ｈｘｉ、Ｈｙｉ）を取得する。それと同時に、カーナビゲーション装置２に対して、方位データを取得するように命令を送る（ステップＳ１０８）。その後、カーナビゲーション装置２からの方位データθｉを受信するまで待機する（ステップＳ１０９）。方位データを受信すると、（Ｈｘｉ、Ｈｙｉ、θｉ）の３つを同じ時刻に検出したデータとして蓄積保存する（ステップＳ１１０）。車両が９０度以上回転して、カーナビゲーション装置２から９０度以上の角度範囲の方位データを受信するまで、一定時間ｔ２ごとにステップＳ１０８〜ステップＳ１１２を繰り返し実行してデータを蓄積する。（ステップＳ１１１：Ｎｏ）
【００２７】
一方、図8において、カーナビゲーション装置２では、携帯電話機１のステップＳ１０８から方位データ取得の命令が来るまで待機し、命令が来たと同時に方位データを取得する（ステップＳ２１０）。取得した方位データを携帯電話機１に送信すると（ステップＳ２１１）、次にキャリブレーションを開始してから車両が９０度以上回転したかを判定する（ステップＳ２１２）。９０度以上回転していなければ、再びステップＳ２１０に戻って携帯電話機１からの命令を待ち、以後ステップＳ２１０〜ステップＳ２１２を繰り返し実行する（ステップＳ２１２：Ｎｏ）。キャリブレーション開始後に車両が９０度以上回転した場合は、キャリブレーションのサブルーチンを終了する（ステップＳ２１２：Ｙｅｓ）。
【００２８】
図6に戻って、携帯電話機１が９０度以上の角度範囲の方位データを受信すると、磁気センサ１０９の校正を開始する（ステップＳ１１１：Ｙｅｓ）。ここからは、図６、図９を参照して校正の方法を説明する。図９は磁気センサ１０９で検出した磁場をグラフにしたものであり、縦軸がＹ軸方向の磁気センサで検出した磁場、横軸がＸ軸方向の磁気センサで検出した磁場である。図９で、三角の印が磁場の測定データ（Ｈｘｉ、Ｈｙｉ）であり、その三角を結んでいる円状の線が測定データを近似した楕円を表し、黒丸が近似した楕円の中心である。以下では、この楕円を方位円と呼ぶ。
【００２９】
図６のステップＳ１１３では、測定データに対して最尤推定となる方位円の方程式を求める。従来技術では、最尤推定の際に用いるデータは（Ｈｘｉ、Ｈｙｉ）のみであり、方位円の楕円方程式
【００３０】
【数１】
2006275763.tif 000003
【００３１】
に対して最小二乗誤差を
【００３２】
【数２】
2006275763.tif 000004
【００３３】
と定義していた。ここで、ａおよびｂは楕円方程式の係数、（Ｈｘ０、Ｈｙ０）は楕円の中心座標、Σは測定した全ての磁場データに関する和である。そして、数２のεを最小にするようにａ、ｂ、（Ｈｘ０、Ｈｙ０）を求めていた。しかし、この方法では、前述のとおり、校正を行った後でも測定した方位が実際の方位とずれるという問題があった。
【００３４】
本実施形態では、（Ｈｘｉ、Ｈｙｉ、θｉ）の３つのデータがあり、θｉはカーナビゲーション装置２で検出した信頼性の高い方位である。θｉの信頼性が高い理由は、カーナビゲーション装置２がマップマッチングを用いているからである。マップマッチングとは、カーナビゲーション装置２で検出した位置および進行方向を周辺の地図情報と照らし合わせ、車両の走行している道路が特定できた場合に、その道路上を通行するように位置および進行方向を修正することである。マップマッチングにより修正された車両の進行方向は、地図に表示される道路の方向となり、この道路の方向は地図から正確に知ることができる。したがって、カーナビゲーション装置２は車両の進行方向に関して正確な方位情報を持っていることになる。
【００３５】
そこで、本実施形態では、（Ｈｘｉ、Ｈｙｉ）を数１に示す方程式の係数を用いて変換することで求められる方位θと、カーナビゲーション装置２で検出したθｉとの差を最小二乗誤差として定義する。すなわち、方位θの表式は
【００３６】
【数３】
2006275763.tif 000005
【００３７】
と表され、
【００３８】
【数４】
2006275763.tif 000006
【００３９】
を最小二乗誤差と定義し、数４のεを最小にするように楕円率ｂ／ａ、（Ｈｘ０、Ｈｙ０）を求める。この方法では、カーナビゲーション装置２で検出した、信頼性の高い方位情報との差が最小になるように方位円を求めるため、従来の方法より正確に推定を行うことができる。
【００４０】
方位円の方程式を求めると、次にその方程式の係数に基づいて変換を行う（ステップＳ１１４）。携帯電話機１が地磁気以外の磁気の影響を受けていない理想的な場合は、図９の（ａ）に示すように方位円は真円となる。この場合は、Ｈｘ−Ｈｙ平面上で原点からの角度θが方位に対応する。ここで、誤差要因として例えば携帯電話機内部の磁場により２つの磁気センサの原点出力電圧がずれた場合、図９の（ｂ）に示すように方位円の中心が原点からずれる。この場合は、中心がずれた量をオフセットとして引き去る。一方、携帯電話機１のＸ軸、Ｙ軸方向の２つの磁気センサの感度が異なる場合には、図９の（ｃ）に示すように方位円は楕円となる。この場合は、楕円率を用いて真円に変換する真円演算を行う。一般的には、磁気センサは様々な影響を同時に受けるため、図９の（ｄ）に示すように方位円は中心が原点からずれた楕円となり、上記オフセットの引き算と真円演算の両方を行う。ここまでは方位円を楕円と仮定して話を進めてきたが、方位円が真円に近いことが予め分かっている場合には、方位円を真円と仮定して計算を行い、ステップＳ１１３，ステップＳ１１４の処理を減らすことも可能である。
【００４１】
以上、この発明の実施形態を詳述してきたが、具体的な構成はこの実施形態に限られるものではなく、この発明の要旨を逸脱しない範囲の設計変更等も含まれる。例えば、本実施形態では携帯電話機１をホルダ３に固定し有線でカーナビゲーション装置２と通信を行っているが、携帯電話機１をホルダ３に固定せず、Ｂｌｕｅｔｏｏｔｈ等既存の無線通信技術を用いて通信を行うことも可能である。また、方向だけでなく高さを検出する方位センサが実装されている場合には、キャリブレーションを開始する契機として、坂道の勾配が一定値以上であるかで判断する形態も可能である。
【産業上の利用可能性】
【００４２】
この発明は、方位を検出する機能を有する携帯電話等の携帯端末装置に用いて好適である。
【図面の簡単な説明】
【００４３】
【図１】この発明の実施形態にかかる、カーナビゲーション装置と携帯電話機とで構成されるシステムを表した外観図である。
【図２】この発明の実施形態にかかる携帯電話機１の端末ユニットを開いた状態にしたときの正面図である。
【図３】この発明の実施形態にかかる携帯電話機１の構成を示すブロック図である。
【図４】この発明の実施形態にかかるカーナビゲーション装置２の構成を示すブロック図である。
【図５】この発明の実施形態にかかる携帯電話機１の動作を示したフローチャートである。
【図６】図5のステップＳ１０７（サブルーチン）の動作を示したフローチャートである。
【図７】この発明の実施形態にかかるカーナビゲーション装置２の動作を示したフローチャートである。
【図８】図７のステップＳ２０９（サブルーチン）の動作を示したフローチャートである。
【図９】図３における磁気センサ１０９で検出した磁場データのグラフである。
【符号の説明】
【００４４】
１…携帯電話機（携帯端末装置）、２…カーナビゲーション装置、３…ホルダ、４…通信ケーブル、１０３…制御部、１０８…センサ制御部、１０９…磁気センサ（方位センサ）、１１０…インタフェース回路、１１１…コネクタ、２０１…ＧＰＳアンテナ、２０２…ＧＰＳ部、２０３…制御部、２０５…ドライバ回路、２０６…ディスク装置、２０７…インタフェース回路、２０８…コネクタ
【図１】
2006275763.tif 000007
【図２】
2006275763.tif 000008
【図３】
2006275763.tif 000009
【図４】
2006275763.tif 000010
【図５】
2006275763.tif 000011
【図６】
2006275763.tif 000012
【図７】
2006275763.tif 000013
【図８】
2006275763.tif 000014
【図９】
2006275763.tif 000015